(57)【要約】【課題】  光ヘッドの共振を抑制するとともに、構成部品の剥離を防止する。【解決手段】  開示される光ヘッド１は、対物レンズ駆動装置２と、ハウジング３とを有している。対物レンズ駆動装置２は、対物レンズ１２を駆動するものである。ハウジング３は、対物レンズ駆動装置２を支持している。対物レンズ駆動装置２は、ハウジング３の貫通部２１に遊嵌された状態で、ハウジング３に、貫通部２１の上周縁部２１ａにおいて接着剤４１〜４４により固着されているとともに、貫通部２１の下周縁部において接着剤４１〜４４とは硬度の異なる接着剤により固着されている。【選択図】  図１
2007250080.tif 000002
【特許請求の範囲】
【請求項１】
対物レンズを駆動する対物レンズ駆動装置と、
前記対物レンズ駆動装置を硬度の異なる接着剤を介して支持するハウジングと
を有していることを特徴とする光ヘッド。
【請求項２】
前記接着剤は、ショアＤ硬度が６５〜９０である第１の接着剤と、ショアＡ硬度が３０〜５０である第２の接着剤であることを特徴とする請求項１記載の光ヘッド。
【請求項３】
請求項１又は２に記載の光ヘッドを備えることを特徴とする光記録再生装置。
【発明の詳細な説明】
【技術分野】
【０００１】
本発明は、光ディスク等の光記録媒体にデータの記録又は再生を行う光ヘッド及びこの光ヘッドを備えた光記録再生装置に関する。
【背景技術】
【０００２】
従来の光ヘッド（光ピックアップ）には、対物レンズをフォーカス方向とトラッキング方向とへ可動自在に収容したアクチュエータベースを設け、アクチュエータベースの傾きを調整してこのアクチュエータベースをハウジング（ピックアップハウジング）に固定したものがある。この光ヘッドでは、アクチュエータベースに嵌合凸部を形成し、この嵌合凸部が微小なクリアランスをもって嵌合される嵌合凹部をハウジングに形成し、嵌合凸部と嵌合凹部との少なくとも一方の表面に塗布した接着剤によりこれらの嵌合凸部と嵌合凹部とを嵌合状態で接着している（例えば、特許文献１参照。）。以下、この技術を第１の従来例と呼ぶ。
【０００３】
また、従来の光ヘッドには、ハウジングの上面に複数のピンを突設し、このハウジングにアクチュエータ（対物レンズアクチュエータ）を組み付けた時に各ピンを受入れ可能な複数の開口部をアクチュエータベースに設けているものもある。この光ヘッドでは、対物レンズの傾き調整後に、各開口部内に各ピンを嵌合した状態で開口部内に半田等の接着剤を充填してアクチュエータベースをハウジングに接着固定している（例えば、特許文献２参照。）。以下、この技術を第２の従来例と呼ぶ。
【０００４】
また、従来の光ヘッドでは、一端部から所定長さまで形成された第１の穴と、第１の穴に連続し、第１の穴より直径がやや大きい第２の穴とを有する鏡筒の一端部にレーザダイオードを収容して固定している。この鏡筒の第１の穴に外周面に熱硬化形接着剤を塗布したコリメートレンズを収容して予め設定された位置に調整した後、第１の穴と第２の穴とが連結する部分に形成された段部とコリメートレンズとの間に紫外線硬化形接着剤を充填し、紫外線を照射して、コリメートレンズを鏡筒に仮固定している。次に、内周面にネジ部が形成された第２の穴にナットをねじ込み、レーザダイオードより光ビームを出射し、このナットの端面でコリメートレンズを押し付けてコリメートレンズの固定位置を微小移動させながら、コリメートレンズの出射光を観察し、出射光が平行になった位置で熱硬化形接着剤を塗布した部分に熱を加えてコリメートレンズを本固定している（例えば、特許文献３参照。）。以下、この技術を第３の従来例と呼ぶ。
【０００５】
また、従来の光記録再生装置には、光ディスクへのフォーカス及びラジアル方向に対物レンズを駆動する対物レンズ駆動装置に複数個の突起部が設けられ、受発光素子を保持する光学基台には、対物レンズ駆動装置の突起部を固定するための複数の凹部を有しており、これらの凹部は上記突起部を固定するとともに、上記対物レンズ駆動装置の調整範囲を規定しているものがある。この従来の光記録再生装置では、固定部側の突起部は、光学的反応などにより固化する接着剤を用いて固定している。一方、非固定部側の突起部は、半田付け等の蝋付け、もしくは溶接などのような金属的結合によって固定している（例えば、特許文献４参照。）。以下、この技術を第４の従来例と呼ぶ。
【０００６】
【特許文献１】特開平７−３１１９５１号公報（請求項１，［００１８］〜［００２３］、図１）
【特許文献２】特開２００１−３１９３４３号公報（請求項１，［０００５］〜［０００７］、図１，図２）
【特許文献３】特開平４−１４３９２９号公報（第３頁左上欄第９行目〜右上欄第１４行目、第２図，第３図）
【特許文献４】特開２０００−２８５４９５号公報（請求項１，請求項２，［００２２］〜［００２７］，［００３１］，［００３２］、図５，図６）
【発明の開示】
【発明が解決しようとする課題】
【０００７】
上記した第１〜第３の従来例では、光ヘッドの各構成部品を固定する接着剤の具体的な物理的特性、特に、硬化後の硬度については言及していない。しかし、対物レンズの位置ずれやスキューずれの防止、あるいは、高温環境下における特性などの信頼性を考慮して、一般的には、硬度が高い接着剤が使用されている。このように、光ヘッドの構成部品を固定する接着剤に高い硬度のものを使用すると、例えば、光記録媒体が偏芯して回転した場合には、光ヘッドのトラッキング方向の開ループ位相特性において、５〜９ｋＨｚ程度の周波数で共振し、トラッキングサーボが不安定となってしまう。これにより、光記録媒体に対するトラッキングサーボ追従ができなくなってしまうおそれがあった。
【０００８】
また、例えば、光ヘッドを備えた光記録再生装置が自動車に搭載され、この自動車が真夏の炎天下に放置された場合、光記録再生装置が設置されているダッシュボード近傍の温度は、７０〜８０℃程度にまで上昇する。この後、操縦者等の搭乗者が自動車に搭乗し、エアーコンディショナーを運転させると、車内温度は、搭乗者にとって快適な２６〜２８℃程度まで下降する。このように、光ヘッドを備えた光記録再生装置の周囲温度が急激に変化した場合、上記した高い硬度の接着剤で光ヘッドの構成部品が緊密に固定されていると、接着剤を含めた各構成部品の熱膨張係数が異なっているため、接着剤等の収縮又は伸長により、例えば、アクチュエータベースがハウジングから剥離してしまうおそれがあった。これにより、例えば、対物レンズが傾くことにより、レーザダイオードから出射される光ビームが光記録媒体に正しく照射されず、光記録媒体にデータの記録又は再生を行うことができなくなるおそれがあった。
【０００９】
一方、上記した第４の従来例では、異なる固定方法を用いているので、工程が複雑になるという問題があった。また、金属的結合を用いた場合、固定時に発生する熱が被固定物を介して固定を予定していない部品にまで伝達され、その部品の温度を高めるおそれがある。この場合、当該部品の溶融温度が低い場合には熱により変形してしまうなど、固定とは無関係な部品に悪影響を及ぼすおそれがあった。
【００１０】
本発明は、上述した事情に鑑みてなされたものであり、上述のような課題を解決することができる光ヘッド及び光記録再生装置を提供することを目的としている。
【課題を解決するための手段】
【００１１】
上記課題を解決するために、請求項１記載の発明に係る光ヘッドは、対物レンズを駆動する対物レンズ駆動装置と、前記対物レンズ駆動装置を硬度の異なる接着剤を介して支持するハウジングとを有していることを特徴としている。
【００１２】
また、請求項２記載の発明は、請求項１記載の光ヘッドに係り、前記接着剤は、ショアＤ硬度が６５〜９０である第１の接着剤と、ショアＡ硬度が３０〜５０である第２の接着剤であることを特徴としている。
また、請求項３記載の発明に係る光記録再生装置は、請求項１又は２に記載の光ヘッドを備えることを特徴としている。
【発明の効果】
【００１３】
本発明によれば、請求項１記載の発明に係る光ヘッドが、対物レンズを駆動する対物レンズ駆動装置と、前記対物レンズ駆動装置を硬度の異なる接着剤を介して支持するハウジングとを有していることによって、この光ヘッドを光記録再生装置に用いた場合には、光ヘッド全体の共振が抑制され、トラッキングサーボが安定するとともに、構成部品の剥離が防止される。
【００１４】
また、本発明によれば、請求項３記載の発明に係る光記録再生装置は、請求項１又は２に記載の光ヘッドを備えている。従って、この光記録再生装置では、光記録媒体が偏芯して回転した場合であっても、光記録媒体に対するトラッキングサーボ追従を良好に行うことができる。また、周囲温度が急激に変化した場合であっても、光記録媒体にデータの記録又は再生を行うことができる。
【発明を実施するための最良の形態】
【００１５】
実施の形態１．
図１は、本発明の実施の形態１に係る光ヘッド１の外観構成を示す斜視図、図２は、図１に示す光ヘッド１の外観構成を裏側から見た斜視図、図３は、図１に示す光ヘッド１の外観構成を示す分解斜視図である。この例の光ヘッド１は、対物レンズ駆動装置２と、ハウジング３とを有している。
【００１６】
対物レンズ駆動装置２は、図３に示すように、レンズホルダ１１の一端部１１ａ近傍に形成された貫通部１１ｂの外周に接着剤等で対物レンズ１２が固着されており、対物レンズ１２をフォーカス方向及びトラッキング方向に駆動する。レンズホルダ１１の略中央に形成された貫通部１１ｃには、磁気回路を構成する永久磁石１３１、１３２及びヨーク１４が配置されている。また、レンズホルダ１１の貫通部１１ａには、フォーカシング用のコイル１９とトラッキング用のコイル２０とが設けられている。
【００１７】
ハウジング３は、例えば、アルミニウム（Ａｌ）、亜鉛（Ｚｎ）あるいはマグネシウム（Ｍｇ）等の金属や液晶ポリマ（ＬＣＰ）等の合成樹脂などからなる。ハウジング３には、上記対物レンズ駆動装置２の外周形状と略相似形状であって、上記対物レンズ駆動装置２が遊嵌される貫通部２１が形成されている。対物レンズ駆動装置２は、図４及び図５に示すように、ハウジング３の貫通部２１に遊嵌された状態で、ハウジング３に、貫通部２１の上周縁部２１ａの２箇所以上の数箇所（図１の例では、４箇所）において接着剤４１〜４４により固着されているとともに、貫通部２１の下周縁部２１ｂの２箇所以上の数箇所（図２の例では、４箇所）において接着剤５１〜５４により固着されている。これにより、ハウジング３は、上記対物レンズ駆動装置２を支持する。
【００１８】
ハウジング３の内部には、図示しないが、レーザダイオードから出射される光ビームの光路を変更して、対物レンズ１２から出射させるとともに、対物レンズ１２から入射された光ビームをフォトダイオード等からなる光検出器の受光面に収束させるためのビームスプリッタ、コリメートレンズ等からなる光学系が設けられている。
【００１９】
接着剤４１〜４４は、対物レンズ駆動装置２の周縁上部をハウジング３に固着する役割を果たすとともに、対物レンズ駆動装置２を所定の精度でハウジング３に位置決めをする役割を果たしている。一方、接着剤５１〜５４は、対物レンズ駆動装置２の周縁下部をハウジング３に固着する役割を果たすとともに、対物レンズ駆動装置２の振動の減衰、衝撃の緩衝などを行うダンパーとしての役割を果たしている。
【００２０】
この場合、接着剤４１〜４４の硬度は、例えば、ショアＤ硬度が６５〜９０であることが好ましい。一方、接着剤５１〜５４の硬度は、例えば、ショアＡ硬度が３０〜５０であることが好ましい。ここで、ショアＤ硬度とは、ＪＩＳ  Ｋ−６２５３（ＤＩＮ  ５３  ５０５）のタイプＤデュロメータで測定された硬度をいい、ショアＡ硬度とは、ＪＩＳ  Ｋ−６２５３（ＤＩＮ  ５３  ５０５）のタイプＡデュロメータで測定された硬度をいう。
【００２１】
接着剤４１〜４４及び５１〜５４は、例えば、エポキシ系、シアノアクリレート系、ポリウレタン系、ユリア樹脂系、メラミン樹脂系、フェノール樹脂系、酢酸ビニル樹脂系、合成ゴム系、クロロプレンゴム系溶剤形、合成ゴム系ラテックス形、感圧性、エマルジョン形、ホットメルト形、エラストマー系ホットメルト形、ポリアミド系ホットメルト形などがある。
【００２２】
次に、対物レンズ駆動装置２をハウジング３に接着剤４１〜４４及び５１〜５４により固着する詳細な方法について説明する。対物レンズ駆動装置２を構成するレンズホルダ１１は、図３に示すように、外周部の略中央及び他端部１１ｄ近傍に、対物レンズ駆動装置２をハウジング３に固着するための接合部１５〜１８が設けられている。接合部１５〜１８は、略直方体形状を呈しており、レンズホルダ１１と一体的に形成されていても良いし、レンズホルダ１１とは別個に作製され、接着剤等によりレンズホルダ１１に接合されていても良い。一方、ハウジング３の貫通部２１には、図３〜図５に示すように、貫通部２１に上記対物レンズ駆動装置２が遊嵌された際に接合部１５〜１８と対向する位置に、接合凹部２２ａ〜２５ａ及び２２ｂ〜２５ｂが形成されている。
【００２３】
まず、図４に示すように、対物レンズ駆動装置２をハウジング３の貫通部２１に遊嵌させた状態において、対物レンズ駆動装置２を予め設定された位置に調整する。次に、対物レンズ駆動装置２を構成する接合部１５の上端部１５ａ近傍側面とハウジング３を構成する接合凹部２２ａ及びその近傍側面とを接合するために接着剤４１を塗布し、対物レンズ駆動装置２の接合部１６の上端部１６ａ近傍側面とハウジング３の接合凹部２３ａ及びその近傍側面とを接合するために接着剤４２を塗布する。同様に、対物レンズ駆動装置２の接合部１７の上端部１７ａ近傍側面とハウジング３を構成する接合凹部２５ａ及びその近傍側面とを接合するために接着剤４３を塗布し、対物レンズ駆動装置２の接合部１８の上端部１８ａ近傍側面とハウジング３の接合凹部２５ａ及びその近傍側面とを接合するために接着剤４４を塗布する。これにより、対物レンズ駆動装置２が所定の位置精度でハウジング３に仮固定される。
【００２４】
次に、図５に示すように、対物レンズ駆動装置２が仮固定されたハウジング３を裏返した後、対物レンズ駆動装置２の接合部１５の下端部１５ｂ近傍側面とハウジング３の接合凹部２２ｂ及びその近傍側面とを接合するために接着剤５１を塗布し、対物レンズ駆動装置２の接合部１６の下端部１６ｂ近傍側面とハウジング３の接合凹部２３ｂ及びその近傍側面とを接合するために接着剤５２を塗布する。同様に、対物レンズ駆動装置２の接合部１７の下端部１７ｂ近傍側面とハウジング３を構成する接合凹部２５ｂ及びその近傍側面とを接合するために接着剤５３を塗布し、対物レンズ駆動装置２の接合部１８の下端部１８ｂ近傍側面とハウジング３の接合凹部２５ｂ及びその近傍側面とを接合するために接着剤５４を塗布する。これにより、対物レンズ駆動装置２がハウジング３に本固定される。
【００２５】
ここで、図６に図１に示すＡ部分の拡大斜視図を示すとともに、図７に図６のＢ−Ｂ'矢視図を示す。なお、図６では、接合部１７及び１８と接合凹部２４ａ、２５ａ及び２５ｂとの関係を分かりやすくするために、接着剤４３及び４４、対物レンズ駆動装置２の他の構成部品は示していない。一方、図７においても、接合部１７及び１８と接合凹部２４ａ、２５ａ及び２５ｂとの接合状態を分かりやすくするために、対物レンズ駆動装置２の他の構成部品は示していない。
【００２６】
各接着剤４３及び５３は、例えば、ハウジング３の高さをｈ１、接着剤４３の厚さ（塗布量）をｈ２、接着剤４３の厚さ（塗布量）をｈ３とすると、式（１）〜式（３）を満たすように塗布する。
ｈ２＝ｈ１／６〜５ｈ１／６  ・・・（１）
ｈ３＝ｈ１／６〜５ｈ１／６  ・・・（２）
ｈ２＋ｈ３＜ｈ１  ・・・（３）
他の接着剤４１、４２、４４、５１、５２及び５４のそれぞれ塗布量についても、式（１）〜式（３）のそれぞれに対応した３つの式を満たすように塗布する。
【００２７】
接着剤４１〜４４及び５１〜５４の塗布量を上記式（１）〜式（３）で規定したのは以下に示す理由による。まず、接着剤４１〜４４及び５１〜５４の塗布量がｈ１／６より少ない場合には、所定の接着強度が得られず、光ヘッド１の使用時に、接着剤４１〜４４又は５１〜５４が剥離し、対物レンズ駆動装置２がハウジング３から脱落してしまうおそれがある。一方、接着剤４１〜４４及び５１〜５４の塗布量が５ｈ１／６より多い場合には、接着剤４１〜４４と対応する接着剤５１〜５４とが混合してしまうおそれがある。接着剤４１〜４４と対応する接着剤５１〜５４との混合を確実に避けるために、接着剤４１〜４４及び５１〜５４の塗布量は４ｈ１／６程度までとすることがより好ましい。さらに、接着剤４１〜４４の塗布量と対応する接着剤５１〜５４の塗布量の和がハウジング３の高さｈ１より大きいということは、接着剤４１〜４４と対応する接着剤５１〜５４とが互いに混合し、対物レンズ駆動装置２の動きが制限されるとともに、所定の位置精度が得られなかったり、接着剤５１〜５４のダンパーとしての機能が十分に果たされなかったりするおそれがある。
【００２８】
図８は、上記構成を有する光ヘッド１のトラッキング方向の開ループにおける位相特性の一例である。図８において、曲線ａは、接着剤４１〜４４の硬度がショアＤ硬度６５〜９０であり、接着剤５１〜５４の硬度がショアＡ硬度３０〜５０である場合の特性である。一方、曲線ｂは、接着剤４１〜４４及び５１〜５４の硬度がいずれもショアＤ硬度６５〜９０である場合の特性である。
【００２９】
図８から分かるように、光ヘッド１において、接着剤５１〜５４の硬度を接着剤４１〜４４の硬度に比べて低くした場合には、約７ｋＨｚにおける光ヘッド１全体の共振を抑制することができる。一方、上記構成を有する光ヘッド１のトラッキング方向の開ループにおけるゲイン特性については、接着剤５１〜５４の硬度を接着剤４１〜４４の硬度に比べて低くした場合と、低くくしなかった場合とで異なるところはない。
【００３０】
このように、本発明の実施の形態１においては、対物レンズ駆動装置２は、ハウジング３に、貫通部２１の上周縁部２１ａの４箇所において硬度がショアＤ硬度６５〜９０である接着剤４１〜４４により固着されているとともに、貫通部２１の下周縁部２１ｂの４箇所において硬度がショアＡ硬度３０〜５０である接着剤５１〜５４により固着されている。
【００３１】
これにより、接着剤４１〜４４は、対物レンズ駆動装置２を所定の精度でハウジング３に位置決めをする役割を果たす一方、接着剤５１〜５４は、対物レンズ駆動装置２の振動の減衰、衝撃の緩衝などを行うダンパーとしての役割を果たしている。従って、トラッキング方向の約７ｋＨｚにおける光ヘッド１全体の共振が抑制され、トラッキングサーボが安定する。これにより、光記録媒体が偏芯して回転した場合であっても、光記録媒体に対するトラッキングサーボ追従を良好に行うことができる。
【００３２】
また、本発明の実施の形態１においては、対物レンズ駆動装置２は、ハウジング３に形成された貫通部２１の下周縁部２１ｂの４箇所において硬度がショアＡ硬度３０〜５０である接着剤５１〜５４により固着されている。従って、このような構成を有する光ヘッド１を備えた光記録再生装置では、周囲温度が急激に変化した場合であっても、接着剤５１〜５４が剥離して対物レンズ駆動装置２がハウジング３から剥離することを防止できる。
【００３３】
さらに、本発明の実施の形態１では、接着剤４１〜４４と接着剤５１〜５４の硬度は異なるが固定方法は同じである。従って、異なる固定方法を用いている上記した第４の従来例のように、工程が複雑になることはない。また、本発明の実施の形態１では、上記した第４の従来例のような金属的結合を用いていないので、固定時に発生する熱が固定とは無関係な部品に悪影響を及ぼすおそれはない。
【００３４】
実施の形態２．
図９は、本発明の実施の形態２に係る光記録再生装置の構成を示す概略図である。この光記録再生装置は、上記した実施の形態１に係る光ヘッド１と、スピンドルモータ３１と、コントローラ３２と、レーザ駆動回路３３と、レンズ駆動回路３４とから概略構成されている。
【００３５】
スピンドルモータ３１は、コントローラ３２の制御の下、光ディスク３５を回転駆動する。コントローラ３２は、光ヘッド１から供給されるフォトディテクタ検出信号に基づいて、スピンドルモータ３１、レーザ駆動回路３３及びレンズ駆動回路３４を制御する。レーザ駆動回路３３は、コントローラ３２の制御の下、光ヘッド１を構成する光源（図示略）であるレーザダイオードを駆動するためのレーザ駆動信号を生成し、光ヘッド１に供給する。レンズ駆動回路３４は、コントローラ３２の制御の下、光ヘッド１を構成する対物レンズ１２（例えば、図１参照）のフォーカシング及びトラッキングを制御するためのレンズ駆動信号を生成し、光ヘッド１に供給する。
【００３６】
コントローラ３２は、フォーカスサーボ追従回路３６と、トラッキングサーボ追従回路３７と、レーザコントロール回路３８とを有している。フォーカスサーボ追従回路３６は、光ヘッド１から供給されるフォトディテクタ検出信号に基づいて、回転している光ディスク３５の情報記録面に光ヘッド１から出射された光ビームのフォーカスをかけるためのフォーカスサーボ信号を生成し、レンズ駆動回路３４に供給する。
【００３７】
トラッキングサーボ追従回路３７は、光ヘッド１から供給されるフォトディテクタ検出信号に基づいて、光ディスク３５の偏芯している信号トラックに対して、光ヘッド１から出射された光ビームのビームスポットを追従させるためのトラッキングサーボ信号を生成し、レンズ駆動回路３４に供給する。レーザコントロール回路３８は、光ヘッド１から供給されるフォトディテクタ検出信号から抽出された光ディスク３５に記録されている記録条件設定情報に基づいて、適切なレーザ駆動信号の生成を行う。
【００３８】
このように、本発明の実施の形態２によれば、上記した実施の形態１に係る光ヘッド１を用いて光記録再生装置を構成している。従って、光記録再生装置は、光記録媒体が偏芯して回転した場合であっても、光記録媒体に対するトラッキングサーボ追従を良好に行うことができる。また、周囲温度が急激に変化した場合であっても、光記録媒体にデータの記録又は再生を行うことができる。
【００３９】
実施の形態３．
上述の実施の形態１及び２では、光源が１個だけ設けられている光ヘッドや光ヘッドが１個だけ設けられている光記録再生装置の例を示したが、これに限定されない。本発明は、光源が複数個設けられている光ヘッドや光ヘッドが複数個設けられている光記録再生装置にも適用することができる。このような光ヘッド及び光記録再生装置は、例えば、特開２００４−２９５９８２号公報に開示されている。
【００４０】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
例えば、上述した各実施の形態では、光記録媒体が円盤状の光ディスクである例を示したが、これに限定されず、光記録媒体は、矩形状であっても良い。
【００４１】
また、上述した各実施の形態では、ヘッド駆動装置２をハウジング３に、貫通部２１の上周縁部２１ａに硬度が高い接着剤４１〜４４で固着するとともに、貫通部２１の下周縁部２１ｂに硬度が低い接着剤５１〜５４で固着する例を示している。しかし、本発明は、これに限定されない。要するに、トラッキング方向の約７ｋＨｚにおける光ヘッド１全体の共振と、対物レンズ駆動装置２のハウジング３からの剥離とを防止することができれば良い。従って、この目的を達成することができるならば、接着剤の種類、接着剤の塗布する箇所及び塗布する箇所の数は、限定されない。
【００４２】
また、上述した各実施の形態では、接着剤５１〜５４自体をダンパーとして機能させる例を示したが、これに限定されず、両面に硬度の高い接着剤が塗布された硬度が低い材料を対物レンズ駆動装置２とハウジング３との間に挿入しても良い。
【図面の簡単な説明】
【００４３】
【図１】本発明の実施の形態１に係る光ヘッドの外観構成を示す斜視図である。
【図２】図１に示す光ヘッドの外観構成を裏側から見た斜視図である。
【図３】図１に示す光ヘッドの外観構成を示す分解斜視図である。
【図４】図３に示すハウジングに図３に示す光ヘッドを遊嵌させた状態を示す斜視図である。
【図５】図３に示すハウジングに図３に示す光ヘッドを遊嵌させた状態を裏側から見た斜視図である。
【図６】図１に示す光ヘッドのＡ部分の拡大斜視図である。
【図７】図６のＢ−Ｂ'矢視図である。
【図８】図１及び図２に示す光ヘッドにおいて対物レンズ駆動装置とハウジングとの接合にいずれも硬度の高い接着剤を用いた場合と、対物レンズ駆動装置の周縁下部とハウジングとの接合に硬度の低い接着剤を用いた場合のそれぞれにおけるトラッキング方向の開ループにおける位相特性の一例を示す図である。
【図９】本発明の実施の形態２に係る光記録再生装置の構成を示す概略図である。
【符号の説明】
【００４４】
１      光ヘッド
２      対物レンズ駆動装置
３      ハウジング
４１〜４４  接着剤（第１の接着剤）
５１〜５４  接着剤（第２の接着剤）
１１    レンズホルダ
１１ａ  一端部
１１ｂ，１１ｃ，２１  貫通部
１１ｄ  他端部
１２    対物レンズ
１３１，１３２  永久磁石
１４    ヨーク
１５〜１８  接合部
１５ａ〜１８ａ  上端部
１５ｂ〜１８ｂ  下端部
１９    フォーカシング用のコイル
２０    トラッキング用のコイル
２１ａ  上周縁部
２１ｂ  下周縁部
２２ａ〜２５ａ，２２ｂ〜２５ｂ  接合凹部
３１    スピンドルモータ
３２    コントローラ
３３    レーザ駆動回路
３４    レンズ駆動回路
３５    光ディスク
３６    フォーカスサーボ追従回路
３７    トラッキングサーボ追従回路
３８    レーザコントロール回路
【図１】
2007250080.tif 000003
【図２】
2007250080.tif 000004
【図３】
2007250080.tif 000005
【図４】
2007250080.tif 000006
【図５】
2007250080.tif 000007
【図６】
2007250080.tif 000008
【図７】
2007250080.tif 000009
【図８】
2007250080.tif 000010
【図９】
2007250080.tif 000011